【誤訳訂正書】
【提出日】平成20年6月10日(2008.6.10)
【誤訳訂正１】
【訂正対象書類名】特許請求の範囲
【訂正対象項目名】全文
【訂正方法】変更
【訂正の内容】
【特許請求の範囲】
【請求項１】
適切な媒質を保持する送致コンテナ（１）と、前記媒質を送致するための皮下組織注射針（１１）を有する閉鎖ユニット（３）と、該閉鎖ユニット（３）から突き出した外側端（１５）と、前記皮下組織注射針（１１）の前記外側端（１５）を被覆する活性保護状態から前記皮下組織注射針（１１）からの媒質の送致のための非活性使用状態へと移動させることのできる安全装置（５，１７）と、前記皮下組織注射針（１１）の前記外側端（１５）上の前進した保護位置から使用位置に押し戻し、再び前記保護位置に押し返すことができる安全本体（１９）と、を具備する物質送致用装置であって、
前記安全装置（５，１７）は、前記送致コンテナ（１）から取外し可能な保護被覆（５）を有し、
該保護被覆（５）は、前記皮下組織注射針（１１）の前記外側端（１５）を囲み、かつ事前に設定された切断ポイント（７）により前記送致コンテナ（１）に連結しており、
前記皮下組織注射針（１１）の外側端（１５）は送致される媒質を保持するコンテナ（２６）の穿孔囲い（２５）を刺すように設計され、前記囲い（２５）が刺されたとき、前記安全本体（１９）は前進した保護位置から使用位置に接触により押し戻されることができること、を特徴とする装置。
【請求項２】
前記保護被覆（５）は、前記保護被覆（５）を前記送致コンテナ（１）から捻って引き離すための支点としての指把握ノブ（９）を具備することを特徴とする請求項１に記載された装置。
【請求項３】
前記安全装置（５，１７）の安全本体（１９）は前記閉鎖ユニット（３）から突き出た皮下組織注射針（１１）の部分で可動に案内される環状本体（１９）により形成され、
前記環状本体は、
把握力を生成する伸縮性保持手段（２１）により前記閉鎖ユニット（３）に連結され、前記皮下組織注射針（１１）の端（１５）を被覆する前進した保護位置において前記保持手段（２１）の把握力により圧入されて保持され、前記皮下組織注射針（１１）に沿った把握力に対抗して使用位置に押し戻されることができることを特徴とする請求項１または２に記載された装置。
【請求項４】
前記保持手段は、継手により分割され、前記環状本体（１９）及び前記閉鎖ユニット（３）に関節式に接続され、保護位置では前記皮下組織注射針（１１）に平行に延び、使用位置では前記皮下組織注射針から外へ拡がった位置に延びる支持部材（２１）を具備することを特徴とする請求項３に記載された装置。
【請求項５】
前記支持部材（２１）は前記閉鎖ユニット（３）から前記環状本体（１９）に達する一つの部材に延び、曲げ継手（２３）によりほぼ半分の長さに分割されることを特徴とする請求項４に記載された装置。
【請求項６】
前記閉鎖ユニット（３）は、前記支持部材（２１）を囲み、前記閉鎖ユニット（３）から取外し可能で、前記保護位置に対応する位置に錠止めするために前記曲げ継手（２３）に向かって支持部材（２１）に沿って押し込むことができる嵌め込みリング（２９）を具備することを特徴とする請求項５に記載された装置。
【請求項７】
前記閉鎖ユニット（３）は、薄膜（１３）を具備し、
該薄膜（１３）は、前記送致コンテナ（１）に位置する物質と前記皮下組織注射針（１１）の対面する内部端（１２）との間で、ブロック部材を形成し、
該ブロック部材は、物質の圧力が増加し前記皮下組織注射針により刺されることが可能なときに、前記皮下組織注射針（１１）の端（１２）に対して押されることができることを特徴とする請求項１から６のいずれか一つに記載された装置。
【請求項８】
前記送致コンテナ（１）は変形可能の壁（２）を有し、前記薄膜（１３）の貫通を生じさせる媒質の圧力を高めるために圧縮することが可能であることを特徴とする請求項７に記載された装置。
【請求項９】
前記送致装置の前記壁（２）は折り曲げふいごの形態で作られることを特徴とする請求項８に記載された装置。
【誤訳訂正２】
【訂正対象書類名】明細書
【訂正対象項目名】０００８
【訂正方法】変更
【訂正の内容】
【０００８】
前記安全装置の安全本体は、前記閉鎖ユニットから突き出た皮下組織注射針の部分で可動に案内される環状本体により形成される。環状本体は、把握力を生成する伸縮性保持手段により前記閉鎖ユニットに連結される。環状本体は、前記皮下組織注射針の端を被覆する前進した保護位置で、保持手段の把握力により圧入されて保持される。環状本体は、前記皮下組織注射針に沿った把握力に対抗して使用位置に押し戻される。自由面上の前述の環状本体は、安全装置の前進ポイント上で他の部分に対して放射状に突き出ている環状拡大接触面を形成し、拡大した接触面により、結果として取外し開放においてコンテナの貫通可能ポイントと環状本体との接触を信頼できるものにする。
【誤訳訂正３】
【訂正対象書類名】明細書
【訂正対象項目名】０００９
【訂正方法】変更
【訂正の内容】
【０００９】
前記保持手段は、継手により分割され、前記環状本体及び前記閉鎖ユニットに関節式に接続され、保護位置では前記皮下組織注射針に平行に延び、使用位置では前記皮下組織注射針から外へ拡がった位置に延びる支持部材を具備する。
【誤訳訂正４】
【訂正対象書類名】明細書
【訂正対象項目名】００１６
【訂正方法】変更
【訂正の内容】
【００１６】
図において送致コンテナは全体として１の符号が付されている。公知のボッテルパック（商標）プロセスを使って製造されたアンプル類似のプラスティック・コンテナで、折り返しを伴い、蛇腹類似に作られ、図１から４、図５から７も参照、に示されたようなコンフィグレーションから送致コンテナ１を引き出すことができる。首部では、閉鎖ユニット３は挿入部分として送致コンテナ１に挿入される；幾つかのコンポーネントはプラスティックから成型される閉鎖ユニットの本体上に成型される。なかんずく安全装置１７は、（送致装置使用前に）その部分は、図１及び３を参照するように、事前に設定された切断ポイント７で、送致コンテナ１上に成型された保護被覆５により保護されていて、事前に設定された切断ポイント７で保護被覆５を送致コンテナ１から捻って外すための手がかりとして使われる横に突き出た指把握グリップ９を有する。図３は図１及び２と同様の装置の操作状態を表しているが、保護被覆５は取外してある。
【誤訳訂正５】
【訂正対象書類名】明細書
【訂正対象項目名】００１９
【訂正方法】変更
【訂正の内容】
【００１９】
安全装置１７は閉鎖ユニット３の本体に一体として成型され、皮下組織注射針１１上で可動であり及び皮下組織注射針のこの端、すなわち針の頭部を被覆するために皮下組織注射針１１の外側端１５上の保護位置に配置されている環状本体１９を具備する。環状本体１９は、一体として成型されるロッド類似の形状の支持部材２１により閉鎖ユニット３の本体と一ヶ所で連結し、環状本体１９及び閉鎖ユニット３の本体への連結ポイントは曲げ継手により柔軟に保たれる。
環状本体は、把握力を生成する伸縮性保持手段により前記閉鎖ユニットに連結される。環状本体は、前記皮下組織注射針の端を被覆する前進した保護位置で、保持手段の把握力により圧入されて保持される。環状本体は、前記皮下組織注射針に沿った把握力に対抗して使用位置に押し戻される。自由面上の前述の環状本体は、安全装置の前進ポイント上で他の部分に対して放射状に突き出ている環状拡大接触面を形成し、拡大した接触面により、結果として取外し開放においてコンテナの貫通可能ポイントと環状本体との接触を信頼できるものにする。さらに、支持部材２１のほぼ半分の長さにわたり、支持部材２１を分割する曲げ継手がある。図５，６を参照すると、環状本体１９が皮下組織注射針１１に沿って保護位置から装置の使用位置に圧される場合は、曲げ継手２３に接する支持部材２１の部分は皮下組織注射針１１から広がり、図５に示されたように折り曲げられるように旋回する。
【誤訳訂正６】
【訂正対象書類名】明細書
【訂正対象項目名】００２０
【訂正方法】変更
【訂正の内容】
【００２０】
後の図５及び図４は、前端１５を有する皮下組織注射針１１が注入コンテナ２６の貫通可能囲い２５を刺しぬいた状態を表す。ここで環状本体１９は、皮下組織注射針の端１５に合せられた保護位置から、皮下組織注射針１１に沿った使用位置まで押し戻されている。送致コンテナ１の蛇腹状の壁２を圧すことにより（図５参照）、それが含む媒質の圧力が増し、薄膜１３は皮下組織注射針１１の直面端１２に対して圧され、それにより貫通される。送致コンテナ１に圧力を加えることにより、それに含まれる媒質は搾り出され、送致コンテナ１の内容に対応する添加活性剤の量が注入コンテナ２６に付加される。
【誤訳訂正７】
【訂正対象書類名】明細書
【訂正対象項目名】００２１
【訂正方法】変更
【訂正の内容】
【００２１】
図６は送致コンテナ１を具備する装置が、搾り取られた後に再び注入コンテナ２６の囲い２５から引き抜かれた状態を表す。支持部材２１の潜在的な柔軟性の結果、それ以前に保護位置から押し戻された環状本体１９は、皮下組織注射針が囲い２５に挿入されたときに、対照的にそれによって支持部材２１の柔軟性又は把握力に対して、部分的には皮下組織注射針の端１５に対する柔軟性により自動的に再び前進する。
【誤訳訂正８】
【訂正対象書類名】明細書
【訂正対象項目名】００２２
【訂正方法】変更
【訂正の内容】
【００２２】
図７は、使用完了後に、保護被覆５はすでに搭載されていないで、皮下組織注射針１１の突き出した外側端１５が再び安全装置１７により保持された状態を表す。この目的では、閉鎖ユニット３の本体上に可動に位置する錠止めリング２９が閉鎖ユニットから外され、皮下組織注射針１１に沿って前進し、支持部材２１上でそれが摺動し、図６に示された位置から皮下組織注射針１１に向けて取り出され、環状本体１９は皮下組織注射針１１の端１５まで前進する。曲げ継手２３上で、支持部材２３は、図７のように錠止めリング２９が適合する把握切り込み３０を成型する。